(57)【要約】      （修正有）【課題】側溝、外庭のタイルの割れ目や植木鉢に生えた雑草を握力の弱い女性や年配者でも根ごと除草できる器具を提供する。【解決方法】マイナス溝のネジを回すのに使用するマイナスドライバーを変形した器具であって、先端部３、シャンク部８及びグリップ部４で構成され、グリップ部とシャンク部の接続部分のグリップ側の両サイドに人差し指と中指が入るように、左右に、二個の丸い輪５、又は半円の輪を設け、輪の側面に指引っかけを設けたグリップとし、手の平に当てる方のグリップ６の形状は幅広の長方形、又は楕円形を有し、柔らかい材質とする。先端部３は平たい長方形で、厚さはマイナス溝に入るように、細い直線形とし、シャンク部をグリップ部に差し込んで交換可能とする。【選択図】図５
0003226436.tif 000002
【実用新案登録請求の範囲】
【請求項１】
大工道具の一つであるマイナス型ドライバーの形状であり、グリップを太めにして、グリップの先端の両サイドに手袋をした人差し指と中指が入るように左右に、大き目の二個の丸い輪や刺又形の半円状の輪、又はその輪の側面に美容師が使うハサミに付けてある指引っかけを付けておいて、手の平に当たる端のグリップの形状は多くの面積が当るように、長方形や楕円形にして、柔らかい材質で大きく分厚い形にして、手の平に当たる部分はまっすぐの直線状、又は手の相の知能線状になるように少し傾斜を付けておいて、グリップの端を手の平に当てて、二個の輪に人差し指と中指を入れて、指を折れる長さにしておき、人により手、指の長さが違うので大、中、小の長さをつくり、金属製の支柱部分の先端はマイナス型ドライバーの形状を直線状や先端の近辺を４０〜９０度下へ曲げた形状を各１個、マイナス型ドライバーの先端の真ん中に割れ目を入れた、二股形の直線状と曲げた形を各１個、ミニスコップ型を１個、ミニ熊手型を１個つくり、それぞれを使用することにより、雑草や割れ目の隙間や植木鉢の種類により、選んで使用することができることを特徴とする、細かい隙間の雑草を除草する器具。
【請求項２】
大工道具の一つであるマイナス型ドライバーは手で握るグリップ部分とネジを回す先端の金属製の支柱部分とで構成されているが、グリップと金属製の支柱とを切り離して、太めのグリップのみをつくり、そのグリップのみの先の方の両サイドに手袋をした指の人差し指と中指が入るように左右、大きめの二個の丸い輪や刺又形の半円の輪を取り付けておき、又はその輪の側面に美容師が使うハサミにつけてある指引っかけを付けておき、もう一方の手の平に当たるグリップのみの端の形は多くの面積が当るように、長方形や楕円形にして柔らかい材質で分厚くした形にして、グリップのみの長さは一方を手の平にあてて、もう一方の先端に付けた二個の輪に人差し指と中指を入れて、指を折れる長さにしておき、人により手の長さが違うので大、中、小とつくり、手の平に当たる部分は直線状や手の相の知能線状になるように、少し傾斜を付けておいて、グリップのみの先の方の内部の内径を６角形の空洞にして、その空洞に入れこめるサイズの小さい６角形のグリップ付きのいろいろなドライバー式の先端をつくり、その先端の形は従来からあるマイナス型ドライバーの直線状や先端の近辺を４０〜９０度、下へ曲げた形を各１個、マイナス型ドライバーの先端の真ん中に割れ目を入れた、二股型の形の直線状と曲げた形を各１個、ミニスコップ型を１個、ミニ熊手型を１個つくることにより、用途によって、いろいろな先端のグリップを差し込み交換して使用することができて、コンクリート製の側溝の割れ目、外庭や公園のタイルとタイルの間の目地の割れ目や植木鉢に生えた雑草を握力の弱い女性や年配者が除草することができることを特徴とする、細かい隙間の雑草を除草する器具。
【考案の詳細な説明】
【技術分野】
【０００１】  本考案は側溝の割れ目の隙間や外庭のタイルとタイルの間の目地の狭いところや植木鉢に生える雑草を取り除くことに関するものである。
【背景技術】
【０００２】  細かいところに生える雑草を取り除く器具は存在する。
【先行技術】
【０００３】  次のように存在する。
１、壁際や溝・隙間の除草にする器具で、商品名；「Ｌ字除草カッター」、握りやすいグリップでポリプロピレン製、熱可塑性エラストマー（ＴＰＲ）である。金属部はステンレス製である。約縦３３×横８．５×高さ４．５ｃｍであり、苔も落とすことができる器具。
２、市販のマイナス型のドライバー
３、ガーディ二ング用のミニスコップ、ミニ熊手などのグッズ。
【考案の概要】
【０００４】  大工道具の一つであるマイナス型ドライバーの先端部分を直線や下へ曲げた形や先端の真ん中に割れ目を入れた二股形、ミニスコップやミニ熊手の形にして、グリップの先端部分に二本の指を入れる丸形や半円形の輪を付けて、その形のままで使用する方法と先端部分とグリップとを切り離して交換して使用する方法とにする。交換する方法はグリップが６角形のドライバー式のいろいろな先端をつくる。その６角形のグリップの太さは別途につくる太めのグリップの内径に入る太さにして、そのグリップのみの先端部分に人差し指と中指が入るように大きめの二個の丸形や半円状の輪を左右につけておく。グリップのみの手に当たる部分は手の平の全体に柔らかく当たるような材質と形にしておく。グリップのみの先端の内部を６角形の空洞にしておき、その６角形の空洞の内径に、前述に記したドライバー式で各種の先端にした６角形のグリップを差し込んで入れることにより交換が可能になる。側溝や外庭のタイルの目地の割れ目、植木鉢に生えた雑草を握力の弱い女性や年配者でも除草することができることを特徴とする、細かい隙間の雑草を除草する器具。
【考案が解決しようとする課題】
【０００５】  側溝の割れ目の隙間や外庭や歩道のタイルとタイルの間の目地や植木鉢に生えた細かい雑草を取り除くのに、雑草の茎の部分を折り、むしることはできるが根の部分が残るのですぐにまた、生えてくる。雑草を取るのは力の弱い女性、年配者が多い。握力の弱い人でも安定的に、狭い細い隙間のところに生える雑草を根ごとに除草できる器具が要求されている。
【考案を解決するための手段】
【０００６】  大工道具の一つであるマイナスドライバーの先端の太さを１〜２ｍｍ、幅５〜１０ｍｍにする。従来からある直線状、さらに先端から４０〜７０ｍｍ付近を４０〜９０度、下へ曲げておいた形状、先端の真ん中に割れ目を入れた二股の形の直線状と曲げた形、ミニスコップの形、ミニ熊手の形をした先端をつくる。その先端部分とグリップとを一体化した形で使用する方法と先端部分の付いたグリップと新たにつくるグリップとを切り離して、差し込み式にして、先端を交換できて使用する方法とをつくる。グリップを一体化したそのままの方法はグリップの先端部分の左右に二個の大きめの丸形や半円形の輪をつくり、それに指を入れて使用する。交換する方法はいろいろな形を先端にした６角形のグリップのドライバーをつくる。そのグリップの太さは別途につくるグリップのみの内径に入る太さとする。別途に太めのグリップのみをつくって、長さはグリップの端を手の平にあてて、もう一方の端に付けた二つの輪に人差し指と中指が入る長さとする。人間の手の長さは異なるので大、中、小の長さをつくる。手の平に当たるグリップのみの形状は手の平に多くの面積が当たるように分厚くして、ポリプロピレン製、熱可塑性エラストマーなどの柔らかい素材にしておき、グリップのもう一方の先端の部分には手袋をした人差し指と中指が入るように左右に大き目の二個の丸い輪や刺又形の半円状の輪、又は美容師が使用するハサミの指引っかけを輪の側面に付けておく。人差し指と中指とは長さが違うので中指の方を少し長くしておいて、輪に段差を付けておく、又は平行にしておく。更に、グリップが手の平に当たる部分は直線や手の平の手相の知能線に沿う形で緩やかな傾斜をつくっておくことにより、より手の平にフィットするようにする。グリップのみの先端の内部は６角形の空洞にしておき、その空洞の内径にグリップを６角形にした前述に記した各種のドライバー式の先端のグリップが入るようにすると、差し込み式で交換が可能になる。本考案は二本の指を輪に入れて操作することにより、先端に安定感が増し、握力のない人でも先端の操作がより安定する。また、グリップのみの太めのグリップの内径を６角形に空洞式にすることにより、その内径より小さい６角形のグリップ付きのいろいろな先端を差し込み、交換することが可能になるので側溝のコンクリートの細かい割れ目や外庭、公園、歩道のタイルとタイルの間の割れ目や植木鉢に生えた雑草を除去できるようになる。交換する先端は次のようである。マイナス型ドライバー、直線と曲げたもの、各１個、先端の真ん中に割れ目の二股型の直線と曲げたもの、各１個、ミニスコップ型、１個、ミニ熊手型、１個などいろいろな形の先端が交換できるようにしておく。
【考案の効果】
【０００７】  本考案のドライバーのグリップを手の平に当てて、二個の丸形や半円状の輪に人差し指と中指を入れて力を込めることにより、更に先端の形の器具を雑草や狭い隙間の大きさに対応して自由に選んで、交換できることにより、細かい、狭いところに生えている雑草を握力、力の弱い人でも安定的に除草することができることを特徴とする、細かい隙間の雑草を除草する器具。
【図面の簡単な説明】
【０００８】
【図１】正面図  （マイナス型ドライバーの図、先端を曲げた図）  （１）差し込み式で交換できるタイプ  （２）先端部分とグリップが一体化したタイプ
【図２】側面図  左、  右  （マイナス型ドライバーの図、先端を曲げた図）  （１）差し込み式で交換できるタイプ  （２）先端部分とグリップが一体化したタイプ
【図３】上からの図  （マイナス型ドライバーの図、先端を曲げた図）  （１）差し込み式で交換できるタイプ  （２）先端部分とグリップが一体化したタイプ
【図４】下からの図  （マイナス型ドライバーの図、先端を曲げた図）  （１）差し込み式で交換できるタイプ  （２）先端部分とグリップが一体化したタイプ
【図５】斜め図  （マイナス型ドライバーの図、先端を曲げた図）  （１）差し込み式で交換できるタイプ  （２）先端部分とグリップが一体化したタイプ
【図６】交換できる先端の図  （１）マイナスドライバー  ▲１▼先端が直線の図  （ａ）上からの図  （ｂ）側面図  ▲２▼先端が曲げた図  （ａ）上からの図  （ｂ）側面図  （２）先端の真ん中に割れ目の二股型▲１▼先端が直線の図（ａ）上からの図  （ｂ）側面図  ▲２▼先端が曲げた図（ａ）上からの図  （ｂ）側面図  （３）ミニスコップ型  ▲１▼先端が直線の図  （ａ）上からの図  （ｂ）側面図  （４）ミニ熊手型  ▲１▼先端が直線の図  （ａ）上からの図  （ｂ）側面図
【図７】指を入れる二つの輪  ▲１▼平行に配置した図  ▲２▼段差に配置した図
【図８】指を入れる半円の輪  ▲１▼平行に配置した図  ▲２▼段差に配置した図
【図９】手に平に当たるグリップの形状  ▲１▼直線の図  ▲２▼手相の知能線に沿って傾斜にする図
【図１０】輪の側面に付けた指引っかけの図  ▲１▼丸形の輪  ▲２▼半円形の輪
【図１１】タイルとタイルの隙間に生えた雑草を除草している図
【図１２】植木鉢の雑草を取る図
【符号の説明】
【０００９】１、マイナス型ドライバー
２、金属製の支柱
３、マイナスドライバーの先端部分
４、手の平に当てるグリップ
５、指を入れる丸形の輪
６、手の平に当てるグリップの端
７、大き目のグリップに６角形のグリップを入れるところ
８、６角形のグリップ
９、庭のタイルとタイル間の目地  、割れ目
１０、雑草
１１、タイル
１２、植木鉢
１３、ミニスコップ
１４、ミニ熊手
１５、先端の真ん中に割れ目の二股型
１６、刺又形の半円の輪
１７、輪に付けた指引っかけ
１８、手
１９、指
【考案を実施するための形態】
【００１０】  次の順序で実施する。
差し込み式で交換できるタイプ；
１、雑草の大きさ、種類、溝の割れ目やタイルとタイルの隙間や植木鉢の雑草を見て、雑草を除草するための先端の器具を選ぶ。
２、６角形のグリップ付きの先端の一つを選び、グリップのみの空洞部分に差し込み、はめ込む
３、除草の作業をする。
４、雑草の種類により、別の先端を交換して、はめ込んで作業をする。
５、終わったら先端を洗って、乾かして、収納しておく。
先端部分とグリップが一体化したタイプ；
１、雑草の大きさ、種類、溝の割れ目やタイルとタイルの隙間や植木鉢の雑草を見て、雑草を除草するための先端の器具を選ぶ。
２、選んだグリップの端を手の平にあてて、二個の輪に指を入れる。
３、除草の作業をする。
４、雑草の種類により、別の先端の種類を選んで、交換して作業をする。
５、終わったら先端を洗って、乾かして、収納しておく。
【産業上の利用可能性】
【００１１】  古いコンクリート製の溝の底の割れ目や外庭、公園や歩道などのタイルとタイルの目地の割れ目や植木鉢に生えた雑草を取り除く時は、手で引っ張って抜こうとしてもちぎれて根が残ってしまうので、またすぐに復活して生えてくる。根ごとを取り除かねばならないが細い割れ目であるためになかなか難しい。本考案を使用することにより、力の弱い女性や年配の人でも雑草を安定的に除草できるので、ストレスをためずに楽しく作業をすることに貢献する。
【図１】
0003226436.tif 000003
【図２】
0003226436.tif 000004
【図３】
0003226436.tif 000005
【図４】
0003226436.tif 000006
【図５】
0003226436.tif 000007
【図６】
0003226436.tif 000008
0003226436.tif 000009
【図７】
0003226436.tif 000010
【図８】
0003226436.tif 000011
【図９】
0003226436.tif 000012
【図１０】
0003226436.tif 000013
【図１１】
0003226436.tif 000014
【図１２】
0003226436.tif 000015
【手続補正書】
【提出日】令和2年1月24日(2020.1.24)
【手続補正１】
【補正対象書類名】実用新案登録請求の範囲
【補正対象項目名】全文
【補正方法】変更
【補正の内容】
【実用新案登録請求の範囲】
【請求項１】
マイナス溝のネジを回すのに使用するマイナスドライバーを変形した器具であって、前記器具は先端部、シャンク部及びグリップ部で構成されており、グリップ部とシャンク部の接続部分のグリップ側の両サイドに人差し指と中指が入るように、左右に、二個の丸い輪、又は半円の輪が設けられ、その輪の側面に指引っかけが設けられたグリップをもち、手の平に当てる方のグリップの形状は幅広の長方形、又は楕円形を有し、柔らかい材質にして、先端部は平たい長方形で、厚さはマイナス溝のネジに入るように、細い直線にした形を有し、先端部につながるシャンク部と前記グリップ部とからなる器具として、タイルの割れ目の隙間、又は植木鉢に生える雑草を除草することができることを特徴とする、細かい隙間の雑草を除草する器具。
【請求項２】
請求項１の記載の器具のグリップであって、先端部は平たい長方形であり、厚さはマイナス溝のネジに入るように細い直線にした形を有し、先端部とつながっているシャンク部の下辺を４０〜９０度、下へ曲げた形を有し、前記グリップ部とからなる器具として、タイルの割れ目の隙間、又は植木鉢に生える雑草を除草することを特徴とする、細かい隙間の雑草を除草する器具。
【請求項３】
請求項１の記載の器具のグリップであって、先端部は平たい長方形の真ん中に割れ目を入れた二股形を有し、前記グリップ部とシャンク部とからなる器具として、タイルの割れ目の隙間、又は植木鉢に生える雑草を除草することを特徴とする、細かい隙間の雑草を除草する器具。
【請求項４】
請求項１の記載の器具のグリップであって、先端部は平たい長方形の真ん中に割れ目を入れた二股形を有し、先端部とつながっているシャンク部の下辺を４０〜９０度、下へ曲げた形を有し、前記グリップとからなる器具として、タイルの割れ目の隙間、又は植木鉢に生える雑草を除草することを特徴とする、細かい隙間の雑草を除草する器具。
【請求項５】
請求項１の記載の器具のグリップであって、先端部はミニスコップの形を有し、前記グリップ部とシャンク部とからなる器具として、タイルの割れ目の隙間、又は植木鉢に生える雑草を除草することを特徴とする、細かい隙間の雑草を除草する器具。
【請求項６】
請求項１の記載の器具のグリップであって、先端部はミニ熊手の形を有し、前記グリップ部とシャンク部とからなる器具として、タイルの割れ目の隙間、又は植木鉢に生える雑草を除草することを特徴とする、細かい隙間の雑草を除草する器具。
【請求項７】
マイナス溝のネジを回すのに使用するマイナスドライバーを変形した器具であって、前記器具は先端部、シャンク部及びグリップ部で構成され、本考案はグリップ部とシャンク部を切り離して、太めのグリップをつくり、そのグリップのみの先端の両サイドに人差し指と中指が入るように、左右、二個の丸い輪、又は半円の輪が設けられ、その輪の側面には指引っかけが設けられ、グリップのみの端の部分の形状は幅広の長方形、又は楕円形を有し、柔らかい材質であり、グリップのみの手の平に当てない方の端の内部を６角形の空洞にして、その空洞に入れこむ６角形の小さいグリップ付きの器具の先端部であって、その先端部は、マイナス溝のネジを回すのに使用するマイナスドライバーのように平たい長方形で、厚さは細い直線の形を有する先端部と、平たい長方形で、厚さは細い直線にした形を有し、先端部とつながっているシャンク部の下辺を４０〜９０度、下へ曲げた形を有する先端部と、平たい長方形の先端の真ん中に割れ目を入れた二股形を有する先端部と、平たい長方形の先端の真ん中に割れ目を入れた二股形のシャンク部の下辺を４０〜９０度、下へ曲げた形を有する先端部と、ミニスコップの形を有する先端部と、ミニ熊手の形を有する先端部と、を備え、前記複数の先端部のいずれかの一つを前記空洞に差し込み、交換可能として、コンクリート製の側溝の割れ目、外庭、又は公園のタイルの目地、又は植木鉢の生えた雑草を握力のない女性や年配者でも除草することができることを特徴とする、細かい隙間の雑草を除草する器具。
【手続補正２】
【補正対象書類名】図面
【補正対象項目名】全図
【補正方法】変更
【補正の内容】
【図１】
0003226436.tif 000016
【図２】
0003226436.tif 000017
【図３】
0003226436.tif 000018
【図４】
0003226436.tif 000019
【図５】
0003226436.tif 000020
【図６】
0003226436.tif 000021
【図７】
0003226436.tif 000022
【図８】
0003226436.tif 000023
【図９】
0003226436.tif 000024
【図１０】
0003226436.tif 000025
【図１１】
0003226436.tif 000026
【図１２】
0003226436.tif 000027